(57)【要約】【課題】窓口や自動発売機等を増やすことなく、投票カードを用いた投票をより多くの人が行えるようにするための技術を提供する。【解決手段】ＨＨＴ１０は、Ｒ／Ｐユニット２０が読み取った投票カードＢのイメージデータから投票内容を認識し、認識した投票内容での投票を、アクセスポイント３３、及び通信ネットワーク３１を介してサーバ３２に依頼する。その依頼をサーバ３２が受け付けた場合、ＨＨＴ１０は、Ｒ／Ｐ２０にレシートＲを投票券として印刷させる。【選択図】      図２
2004246427.tif 000002
【特許請求の範囲】
【請求項１】
競馬や競輪等のレース競技のレース結果に対する投票を投票者が投票カードを用いて行えるようにするための携帯型の装置であって、
前記投票カード上の画像を読み取る画像読取手段と、
通信ネットワークを介して接続される外部装置に対して、前記画像読取手段が読み取った画像から、前記投票者が前記投票カード上に記入した投票内容での投票を依頼する投票依頼手段と、
前記投票依頼手段が依頼した投票の投票内容を印刷して出力する投票内容印刷手段と、
を具備することを特徴とする携帯型投票端末装置。
【請求項２】
前記投票依頼手段が依頼する、或いは依頼した投票の投票内容を表示する投票内容表示手段と、
前記投票内容表示手段が表示した投票内容の変更を行うための操作手段と、を更に具備し、
前記投票依頼手段は、前記操作手段への操作により変更した投票内容での投票を前記外部装置に対して依頼できる、
ことを特徴とする請求項１記載の携帯型投票端末装置。
【請求項３】
記録媒体に記録された前記投票者を識別するための識別情報を読み取る情報読取手段、を更に具備し、
前記投票依頼手段は、前記投票を依頼する場合に、該投票に伴う代金の徴収用に前記情報読取手段が読み取った識別情報を前記外部装置に送信する、
ことを特徴とする請求項１、または２記載の携帯型投票端末装置。
【請求項４】
前記携帯型投票端末装置は、携帯型端末装置に、前記投票カード上の画像を読み取る読取部、及び前記投票内容を印刷して出力する印刷部を備えた携帯型画像読取印刷装置を接続させて構成されている、
ことを特徴とする請求項１〜３の何れか１項に記載の携帯型投票端末装置。
【請求項５】
携帯型端末装置と接続させて用いることができる携帯型の装置であって、
媒体上に形成された画像を読み取ることができる画像読取手段と、
記録媒体上に印刷を行う印刷手段と、
前記携帯型端末装置との間で通信を行い、前記画像読取手段、及び印刷手段の制御を行う制御手段と、
を具備することを特徴とする携帯型画像読取印刷装置。
【発明の詳細な説明】
【０００１】
【発明の属する技術分野】
本発明は、競馬や競輪等のレース競技のレース結果に対する投票を投票者が投票カードを用いて行えるようにするための技術に関する。
【０００２】
【従来の技術】
競馬や競輪、競艇、及びオートレースに代表されるレース競技は、娯楽の一つとして広く楽しまれている。そのような競技では、レース結果を予想して投票券を購入できるようになっている。それにより、賭けの対象として楽しむ人も多く存在する。
【０００３】
これまで投票券の購入は、投票用の投票カードに、賭式、その賭式で勝ちと予想するレース結果、及び投票額を記入して行うようになっていた。しかし、現在では、会員として登録することにより、携帯電話機やパーソナルコンピュータ（ＰＣ）などの端末装置から通信ネットワークを介してキャッシュレスで投票を行えるようになっている。
【０００４】
【特許文献１】
特開２００１−０１５３４８号公報
【０００５】
【発明が解決しようとする課題】
投票カードを用いた場合、投票所の窓口、或いは自動発売機にて投票を行わなければならない。しかし、それらが設置された場所やその数は限られている。次に行われるレースといったように、締め切りが間近のレースを対象に行われる投票は多いのが普通である。レースの間の時間はそれほど長くはない。多くの人は実際にレースを観戦する。これらのことから、レースの間に投票を求める多くの人が窓口や自動発売機に殺到するのが普通となっている。このため、投票の締め切りに間に合わない人も多いのが実情となっている。
【０００６】
携帯電話機などの端末装置を用いた投票では、窓口や自動発売機とは異なり、並ばなくとも済む。このため、自分の順番がくるまで待ったために締め切りに間に合わなくなるというようなことはない。しかし、その投票では、複雑な操作を行わなければならない。このため、投票カードによる投票に慣れている人はもとより、複雑な操作を煩わしいと思う人は敬遠する傾向がある。そのような人を考慮する意味からも、投票カードを用いた投票をより多くの人が行えるようにすることが重要であると考えられる。
【０００７】
当然のことながら、窓口や自動発売機を増やせば、投票カードを用いた投票をより多くの人がより短時間で行えるようになる。しかし、そのためのコストは膨大となる。また、投票を行う人（投票券の購入者）は、レースや開催日などによって大きく変動し、既存の窓口や自動発売機で十分、対応できることも少なくない。このようなことから、そのようなものを増やすことなく、投票カードを用いた投票をより多くの人が行えるようにすることも重要であると考えられる。
【０００８】
本発明の目的は、窓口や自動発売機等を増やすことなく、投票カードを用いた投票をより多くの人が行えるようにするための技術を提供することにある。
【０００９】
【課題を解決するための手段】
本発明の第１〜第３の態様の携帯型投票端末装置は、競馬や競輪等のレース競技のレース結果に対する投票を投票者が投票カードを用いて行えるようにするために使用されることを前提とし、それぞれ以下の手段を具備する。
【００１０】
第１の態様の携帯型投票端末装置は、投票カード上の画像を読み取る画像読取手段と、通信ネットワークを介して接続される外部装置に対して、画像読取手段が読み取った画像から、投票者が投票カード上に記入した投票内容での投票を依頼する投票依頼手段と、投票依頼手段が依頼した投票の投票内容を印刷して出力する投票内容印刷手段と、を具備する。
【００１１】
第２の態様の携帯型投票端末装置は、上記第１の態様における構成に加えて、投票依頼手段が依頼する、或いは依頼した投票の投票内容を表示する投票内容表示手段と、投票内容表示手段が表示した投票内容の変更を行うための操作手段と、を更に具備し、投票依頼手段は、操作手段への操作により変更した投票内容での投票を外部装置に対して依頼できる、ものである。
【００１２】
第３の態様の携帯型投票端末装置は、上記第１、或いは第２の態様における構成に加えて、記録媒体に記録された投票者を識別するための識別情報を読み取る情報読取手段、を更に具備し、投票依頼手段は、投票を依頼する場合に、該投票に伴う代金の徴収用に情報読取手段が読み取った識別情報を外部装置に送信する、ものである。
【００１３】
なお、上記第１〜第３の態様の何れかの携帯型投票端末装置は、携帯型端末装置に、投票カード上の画像を読み取る読取部、及び投票内容を印刷して出力する印刷部を備えた携帯型画像読取印刷装置を接続させて構成されている、ことが望ましい。
【００１４】
本発明の携帯型画像読取印刷装置は、携帯端末装置と接続させて用いることができる携帯型の装置であって、媒体上に形成された画像を読み取ることができる画像読取手段と、記録媒体上に印刷を行う印刷手段と、携帯型端末装置との間で通信を行い、画像読取手段、及び印刷手段の制御を行う制御手段と、を具備する。
【００１５】
本発明の携帯型投票端末装置は、投票カード上の画像を読み取り、通信ネットワークを介して接続される外部装置に対して、投票カード上に記入された投票内容での投票を依頼し、その投票内容を印刷して出力する。それにより、その投票端末装置を用いることにより、窓口や自動発売機等を増やすことなく、投票カードを用いた投票をより多くの人が行えるようになる。
【００１６】
依頼する、或いは依頼した投票の投票内容の変更を行い、変更した投票内容での投票を外部装置に対して依頼できるようにした場合には、投票カードへの記入ミスなどに迅速、且つ適切に対応することが可能となる。記録媒体に記録された投票者を識別するための識別情報を読み取り、投票を依頼する場合に、その識別情報を外部装置に送信させれば、キャッシュレスでの投票が可能となる。
【００１７】
本発明の携帯型画像読取印刷装置は、媒体上に形成された画像を読み取ることや記録媒体への印刷を、携帯型端末装置などの外部装置との間で通信を行いつつ制御することが可能である。それにより、投票カードの読み取りや投票券の印刷を行わせることが可能である。
【００１８】
【発明の実施の形態】
以下、本発明の実施の形態について、図面を参照しながら詳細に説明する。
図１は、本実施の形態による携帯型投票端末装置（以下「投票端末装置」と略記）の構成図である。
【００１９】
その投票端末装置は、販売員に携帯させて、投票カードによる投票券の販売を行うために使用されるのを前提としたものである。図１に示すように、携帯端末装置（ＨＨＴ）１０と、そのＨＨＴ１０と接続され、画像読取機能、及び印刷機能を搭載した本実施の形態による携帯型画像読取印刷装置（以降「Ｒ／Ｐユニット」と呼ぶ）２０と、から構成されている。
【００２０】
ＨＨＴ１０への操作は手に持って行われるのが普通である。つまり、片手でＨＨＴ１０を持ち、残った手で操作を行うのが普通である。それにより、操作を行うときには両手がふさがることから、Ｒ／Ｐユニット２０は、例えばベルトなどに取り付けて携帯できるようにしている。
【００２１】
ＨＨＴ１０、及びＰ／Ｒユニット２０を携帯させて販売員に投票券を販売させるようにした場合、その販売員を使用することにより、窓口や投票券を自動で発売する自動発売機を新たに設けなくとも、より多くの人が投票カードによる投票、即ち投票券の購入を行えるようになる。投票券の購入者数の変動には、その販売員の数を増減させることで対応することができる。場所の制約がなくなるために、購入希望者は販売員の居る場所であればどこでも投票券を購入できるようになる。購入希望者の居る場所に出向いて投票券を販売するような新しいサービスも提供できるようになる。窓口や自動発売機などを新たに設置するような場合と比較して、極めて低いコストで投票券を販売することができる。以降、そのような効果が得られるＨＨＴ１０、及びＲ／Ｐユニットについて、図２〜図４の説明図を参照して詳細に説明する。
【００２２】
図２は、本実施の形態による投票端末装置を構成するＨＨＴ１０、及びＲ／Ｐユニット２０の構成図である。
ＨＨＴ１０は、図２に示すように、会員カードＣに形成されたバーコードを読み取ることができるバーコードリーダ１１と、例えば液晶表示装置である表示部１２と、無線で通信を行うための無線通信部１３と、各種スイッチなどの操作子を有する操作部１４と、有線で通信を行うための有線通信部１５と、ＨＨＴ１０全体の制御を行う制御部１６と、を備えて構成されている。
【００２３】
上記会員カードＣは、会員登録した人に対して発行したものか、或いは予め入金を行った客に一時的に貸し出したものである。本実施の形態では、そのカードＣにバーコードの形で記録された識別情報を読み取ることにより、キャッシュレスで投票券を購入できるようにさせている。その識別情報とは、例えば会員ＩＤである。
【００２４】
他方のＲ／Ｐユニット２０は、装填されたロール紙を繰り出して印刷を行いレシートＲを発行する印刷部２１と、投票カードＢに記入されたマークを読み取ることができる読取部２２と、電源スイッチ等を有する操作部２３と、ユニット２０全体の制御を行う制御部２４と、を備えて構成されている。投票を行った場合、そのレシートＲは投票券として出力される。
【００２５】
ＨＨＴ１０は無線通信部１３により、例えば通信ネットワーク（例えばＬＡＮ）３１と接続されたアクセスポイント（ＡＰ）３３と通信を行う。その通信ネットワーク３１には、投票に係わる処理を行うサーバ３２が接続されている。ＨＨＴ１０は、ＡＰ３３、及び通信ネットワーク３１を介して、Ｒ／Ｐユニット２０が読み取った投票カードＢに記入されていた投票内容をサーバ３２に送信することで投票を依頼し、その内容をサーバ３２に登録させる。そのようにして登録させた場合に、レシートＲを投票券としてＲ／Ｐユニット２０に出力させる。
【００２６】
図３は、そのＲ／Ｐユニット２０の外観を説明する図である。同図（ａ）は正面図、同図（ｂ）は側面図である。
そのユニット２０は、図３（ａ）に示すように、正面から見て左側にバッテリを収納するバッテリ収納部４１が設けられ、その右側に操作部２３を構成するスイッチ、更にはＬＥＤが配設されている。中央部分の下部には、ロール紙を収納するロール紙収納部４２が設けられ、その上部に印刷部２４が設けられている。その印刷部２４は、例えばサーマルプリンタであり、ロール紙を繰り出して印刷を行い、その印刷を行った部分をレシートＲとして出力する。そのレシートＲは、図３（ｂ）に示すように、ロール紙収納部４２と印刷部２４の間から排出される。
【００２７】
投票カードＢを読み取る読取部２２は、図３（ａ）、及び図３（ｂ）に示すように、正面から見て印刷部２４の奥側に設けられている。その上方には、投票カードＢを挿入するための挿入口が設けられ、その挿入口に挿入された投票カードＢを排出する排出口は下方に設けられている。それにより、読取部２２は、挿入口から挿入されて排出口を通り排出される投票カードＢ（のイメージ）の読み取りを行うようになっている。
【００２８】
本実施の形態では、これまで説明したように、ＨＨＴ１０にＲ／Ｐユニット２０を接続させて携帯型投票端末装置を実現させている。言い換えれば、その投票端末装置を実現させるためにＲ／Ｐユニット２０をＨＨＴ１０と接続させている。これは、投票端末装置に必要なハードウェアは、投票カードＢのイメージ（画像。ここでは記入されたマーク、など）を読み取る読取部２２、及びレシートＲ（投票券）を印刷する印刷部２１を除き、ＨＨＴが一般的に備えているためである。つまり、それまで使用していたようなＨＨＴを含めて流用できるようにすることで、投票端末装置の購入にかかるコストをより抑えられるようにするためである。そのようにした場合、それまで使用していた通信ネットワーク等もそのまま流用できるために、コストはより抑えることができるようになる。
【００２９】
ＨＨＴのなかには、印刷部を備えているものも存在する。しかし、印刷部を備えたＨＨＴは、それを備えていないものと比較して大型である。大型であれば、重いだけでなく、手に持ちづらくもなる。そのような理由から、使い勝手が悪くなる。Ｒ／Ｐユニット２０に印刷部２１を搭載したのは、使い勝手が悪いＨＨＴを使わなくとも済むようにするためである。
【００３０】
図４は、投票カードＢによる投票が行われる場合に、上記ＨＨＴ１０、Ｒ／Ｐユニット２０、及びサーバ３２がそれぞれ実行する処理の流れを示すフローチャートである。投票に係わる処理に着目して抜粋し、その流れの例を示したものである。次に、その場合にそれらが実行する処理、及び投票券の販売方法について、図４に示すフローチャートを参照して詳細に説明する。
【００３１】
なお、図４に示すフローチャートは、ＨＨＴ１０、及びＲ／Ｐユニット２０は、例えば制御部１６、２４を構成するＣＰＵが、それを構成するＲＯＭに格納されたプログラムを実行し、サーバ３２は、例えばそれに搭載されたＣＰＵが、ハードディスク装置等に格納されたプログラムを実行することで実現される。
【００３２】
投票端末装置を携帯している販売員は、例えば予め定められた場所に居るか、或いは予め定められた販売区域内を移動しながら投票券の販売を行う。このため、投票希望者、即ち投票カードＢを用いて投票券の購入を希望する購入希望者は、販売員の居る場所に行き、投票券の販売を要求する。
【００３３】
投票券の販売を要求された販売員は、例えば会員カードＣの提示を求めて受け取り、ＨＨＴ１０のバーコードリーダ２１によりそのバーコードを読み取らせる。ＨＨＴ１０は、操作部２４を構成する所定のスイッチへの操作が行われるか、或いはカードＣの読み取り用の溝にカードＣが挿入されたことを検出すると、カードＣのバーコードの読み取りを行い、その結果をサーバ３２に送信する（ステップＳＨ１）。
【００３４】
バーコードの読み取り結果、例えば会員ＩＤをＨＨＴ１０から受信したサーバ３２は、そのＩＤを登録されている会員のそれと照合することで認証を行い、その認証結果をＨＨＴ１０に送信する（ステップＳＳ１）。その認証により会員であることが確認できた場合には、使用できるお金の残高、払い戻しの有無などを更に確認して、それらも併せてＨＨＴ１０に送信する。ここでは、会員であることが確認できたとの前提で以降の説明を行う。
【００３５】
サーバ３２から認証結果を受信したＨＨＴ１０は、会員であることが確認されたことから、投票画面を表示部１２に表示させ、Ｒ／Ｐユニット２０には、通常モードへの移行を指示する（ステップＳＨ２）。特には図示しないが、投票画面には、払い戻しの有無や残高なども配置されている。
【００３６】
Ｒ／Ｐユニット２０は、消費電力を抑えるために、通常は待機モードに移行させるようになっている。このことから、通常モードへの移行がＨＨＴ１０から指示された場合、その指示に従い、通常モードに移行させる（ステップＳＲ１）。その通常モードの移行では、読取部２２を起動させ、投票カードＢの読み取りを行える状態とさせる。
【００３７】
投票画面が表示部１２に表示されたことを確認した販売員は、購入希望者から受け取った投票カードＢをＲ／Ｐユニット２０に読み取らせる。このことから、Ｒ／Ｐユニット２０は、読取部２２を起動させた後は、投票カードＢが挿入口（図３参照）から挿入されるのを待って、その読み取りを行い、そのイメージデータをＨＨＴ１０に送信する（ステップＳＲ２）。
【００３８】
ＨＨＴ１０は、Ｒ／Ｐユニット２０からイメージデータを受信すると、投票カードＢに記入された投票内容の認識を行い、その認識結果を投票データとしてサーバ３２に送信することにより、投票を依頼する（ステップＳＨ３）。
【００３９】
そのようにして投票が依頼されたサーバ３２は、投票データが示す投票内容が適切か否かの確認を行い、その内容が適切であると確認できた場合に、依頼を受け付けでその内容を登録する（ステップＳＳ２）。その後は、確認した投票内容をレシートＲに印刷させることをＨＨＴ１０に指示する（ステップＳＳ３）。このとき、印刷内容を示す印刷データをＨＨＴ１０に送信する。
【００４０】
特には図示していないが、投票内容が適切でなかったことを確認した場合、サーバ３２は、その旨をＨＨＴ１０に通知して投票内容を送信し、修正、或いは依頼のキャンセルを求める。ＨＨＴ１０は、その通知を受けると、サーバ３２から受信した投票内容を表示部１２に表示させる。
【００４１】
販売員は、その投票内容を購入希望者に提示して誤りの有無を確認させ、内容の修正、及びキャンセルのうちの何れかを選択させる。内容の修正を選択すれば、操作部１４を操作して購入希望者が所望する修正を行った後、修正後の投票内容をサーバ３２に送信させる。一方、キャンセルを選択すれば、それを選択する操作を行う。そのような操作を行ったときには、ＨＨＴ１０はその旨をサーバ３２に通知して、依頼した投票をキャンセルさせる。
【００４２】
なお、投票内容は、それをサーバ３２に送信する前に表示部１２に表示させて購入希望者に確認させるようにしても良い。その内容を示す投票データとしては、Ｒ／Ｐユニット２０から受け取ったイメージデータをそのままサーバ３２に送信するようにしても良い。つまり、投票カードＢに記入された投票内容をサーバ３２に認識させるようにしても良い。
【００４３】
サーバ３２から印刷が指示されたＨＨＴ１０は、Ｒ／Ｐユニット２０にレシートＲ（ここでは投票券となるレシートＲである）を印刷させるための制御を行う（ステップＳＨ４）。その制御は、Ｒ／Ｐユニット２０に対し、例えば印刷部２１の起動を指示し、その後にサーバ３２から受信した印刷データ、或いはそれを基に作成した印刷データをＲ／Ｐユニット２０に送信して印刷を指示する形で行われる。
【００４４】
他方のＲ／Ｐユニット２０は、ＨＨＴ１０の指示に従いレシートＲを印刷する（ステップＳＲ３）。販売員は、それにより排出されたロール紙をレシートＲとして購入希望者に渡す。そのようにして、投票カードＢ一枚分の投票券を購入希望者は受け取る。
【００４５】
投票券となるレシートＲを渡した販売員は、他に投票カードＢが存在していなければ、投票の終了を指示するためのスイッチを操作する。このことから、ＨＨＴ１０は、ステップＳＨ４に続くステップＳＨ５でそのスイッチが操作されたか否か判定する。その操作を販売員が行った場合、判定はＹＥＳとなり、その旨をサーバ３２、及びＲ／Ｐユニット２０にそれぞれ通知する（ステップＳＨ６）。その通知により、一人の購入希望者に対してＨＨＴ１０が実行する一連の処理は終了する。そうでない場合には、判定はＮＯとなって上記ステップＳＨ２に戻り、次の投票カードＢの読み取りに備える。
【００４６】
その通知を受け取ったサーバ３２は、ＨＨＴ１０と同様に、一人の購入希望者に対する一連の処理を終了させる（ステップＳＳ４）。他方のＲ／Ｐユニット２０は、消費電力を抑えるために、読取部、及び印刷部２０を停止状態とする待機モードに移行させる（ステップＳＲ４）。
【００４７】
本実施の形態では、レシートＲの印刷の指示や印刷データはサーバ３２が送信するようにさせている。特には図示していないが、ＨＨＴ１０のＲ／Ｐユニット２０への終了通知は、ステップＳＳ４でサーバ３２がＨＨＴ１０に待機モードへの移行を指示することで行っている。そのようにしてサーバ３２側でＲ／Ｐユニット２０に行わせる処理（動作）を指示させているのは、ＨＨＴ１０に実行させる処理内容を簡易化して、プログラムのデータ量を抑え、その開発はより容易にするためである。
【００４８】
なお、本実施の形態では、投票端末装置の実現のためにＲ／Ｐユニット２０をＨＨＴ１０と接続させているが、ユニット２０を接続させるのはＨＨＴ以外のものであっても良い。具体的には、ノート型、或いはタブレット型のパーソナルコンピュータやＰＤＡ（Ｐｅｒｓｏｎａｌ  Ｄｉｇｉｔａｌ  Ａｓｓｉｓｔａｎｔｓ  ）などであっても良い。それらを一体化させた形で投票端末装置を実現させても良い。また、設置や撤去も容易に行えることから、販売員に携帯させるのではなく、固定的に設置する形で用いるようにしても良い。
【００４９】
（付記１）    競馬や競輪等のレース競技のレース結果に対する投票を投票者が投票カードを用いて行えるようにするための携帯型の装置であって、
前記投票カード上の画像を読み取る画像読取手段と、
通信ネットワークを介して接続される外部装置に対して、前記画像読取手段が読み取った画像から、前記投票者が前記投票カード上に記入した投票内容での投票を依頼する投票依頼手段と、
前記投票依頼手段が依頼した投票の投票内容を印刷して出力する投票内容印刷手段と、
を具備することを特徴とする携帯型投票端末装置。
【００５０】
（付記２）    前記投票依頼手段が依頼する、或いは依頼した投票の投票内容を表示する投票内容表示手段と、
前記投票内容表示手段が表示した投票内容の変更を行うための操作手段と、を更に具備し、
前記投票依頼手段は、前記操作手段への操作により変更した投票内容での投票を前記外部装置に対して依頼できる、
ことを特徴とする付記１記載の携帯型投票端末装置。
【００５１】
（付記３）    記録媒体に記録された前記投票者を識別するための識別情報を読み取る情報読取手段、を更に具備し、
前記投票依頼手段は、前記投票を依頼する場合に、該投票に伴う代金の徴収用に前記情報読取手段が読み取った識別情報を前記外部装置に送信する、
ことを特徴とする付記１、または２記載の携帯型投票端末装置。
【００５２】
（付記４）    前記投票内容表示手段は、前記投票依頼手段の依頼により前記外部装置側で確認した投票の投票内容を表示できる、
ことを特徴とする付記２、または３記載の携帯型投票端末装置。
【００５３】
（付記５）    前記携帯型投票端末装置は、携帯型端末装置に、前記投票カード上の画像を読み取る読取部、及び前記投票内容を印刷して出力する印刷部を備えた携帯型画像読取印刷装置を接続させて構成されている、
ことを特徴とする付記１〜４の何れか１項に記載の携帯型投票端末装置。
【００５４】
（付記６）    携帯型端末装置と接続させて用いることができる携帯型の装置であって、
媒体上に形成された画像を読み取ることができる画像読取手段と、
記録媒体上に印刷を行う印刷手段と、
前記携帯型端末装置との間で通信を行い、前記画像読取手段、及び印刷手段の制御を行う制御手段と、
を具備することを特徴とする携帯型画像読取印刷装置。
【００５５】
（付記７）    前記画像読取手段は、前記画像を読み取る前記媒体として、競馬や競輪等のレース競技のレース結果に対する投票を行うための投票カードを対象にできる、
ことを特徴とする付記６記載の携帯型画像読取印刷装置。
【００５６】
【発明の効果】
以上、説明したように本発明の携帯型投票端末装置は、投票カード上の画像を読み取り、通信ネットワークを介して接続される外部装置に対して、投票カード上に記入された投票内容での投票を依頼し、その投票内容を印刷して出力する。このため、その投票端末装置を用いることにより、窓口や自動発売機等を増やすことなく、投票カードを用いた投票をより多くの人が行えるようにすることができる。
【００５７】
依頼する、或いは依頼した投票の投票内容の変更を行い、変更した投票内容での投票を外部装置に対して依頼できるようにした場合には、投票カードへの記入ミスなどに迅速、且つ適切に対応することができるようになる。記録媒体に記録された投票者を識別するための識別情報を読み取り、投票を依頼する場合に、その識別情報を外部装置に送信させれば、キャッシュレスでの投票が行えるようになる。
【００５８】
本発明の携帯型画像読取印刷装置は、媒体上に形成された画像を読み取ることや記録媒体への印刷を、携帯型端末装置などの外部装置との間で通信を行いつつ制御することができる。このため、投票カードの読み取りや投票券の印刷を行わせることができる。それにより、本発明の携帯型投票端末装置の実現に用いることができる。
【図面の簡単な説明】
【図１】本実施の形態による携帯型投票端末装置の構成図である。
【図２】本実施の形態による投票端末装置を構成するＨＨＴ、及びＲ／Ｐユニットの構成図である。
【図３】Ｒ／Ｐユニット２０の外観を説明する図である。
【図４】投票カードによる投票が行われる場合に、ＨＨＴ、Ｒ／Ｐユニット、及びサーバがそれぞれ実行する処理の流れを示すフローチャートである。
【符号の説明】
１０    携帯端末装置（ＨＨＴ）
１１    バーコードリーダ
１２    表示部
１３    無線通信部
１４、２３    操作部
１５    有線通信部
１６、２４    制御部
２０    携帯型画像読取印刷装置（Ｒ／Ｐユニット）
２１    印刷部
２２    読取部
３１    通信ネットワーク
３２    サーバ
３３    アクセスポイント（ＡＰ）
Ｂ    投票カード
Ｃ    会員カード
Ｒ    レシート
【図１】
2004246427.tif 000003
【図２】
2004246427.tif 000004
【図３】
2004246427.tif 000005
【図４】
2004246427.tif 000006